(57)【特許請求の範囲】
【請求項１】
圧力測定装置本体の圧力受圧面側に設けられた第１の凸部と、
この第１の凸部の頂部に設けられこの第１の凸部と階段形状凸部を形成する第２の凸部と、
この第２の凸部の頂面に設けられたシールダイアフラムと、
前記第１の凸部に嵌め合わされ前記第２の凸部と前記シールダイアフラムとを覆って設けられたニップルと
を具備する圧力測定装置において、
前記測定装置本体に一面が接し内周面が前記第１の凸部と嵌め合わされ耐食材よりなるリングと、
このリングの他面に一面の周縁部分が固定され前記シールダイアフラムと前記第２の凸部とこのリングとにより接液室を構成し耐食材よりなる接液ダイアフラムと、
前記接液ダイアフラムの他面の周縁部分に一面が固定された耐食材よりなるニップル基体と
を備えるニップルユニットと、
前記接液室に封入された封入液と
を具備したことを特徴とする圧力測定装置。
【請求項２】
前記リングと前記接液ダイアフラムと前記ニップル基体とがニッケル・モリブデン・クロム合金材より成ること
を特徴とする請求項１記載の圧力測定装置。
【発明の詳細な説明】
【０００１】
【発明の属する技術分野】
本発明は、耐食性が向上され且つ安価な圧力測定装置に関するものである。
【０００２】
【従来の技術】
図２は従来より一般に使用されている従来例の構成説明図である。
図において、２は、圧力測定装置本体１の圧力受圧面側に設けられた第１の凸部である。
【０００３】
３は、この第１の凸部２の頂部に設けられこの第１の凸部と階段形状凸部を形成する第２の凸部である。
４は、この第２の凸部３の頂面に設けられたシールダイアフラムである。
５は、測定装置本体１の凸部側に接続されたニップルである。
【０００４】
６は、このニップル５の第２の凸部３に対向する面に設けられ、このニップル５の貫通孔７に連通され、第1の凸部２が嵌め合わされる凹部である。
【０００５】
この場合は、測定装置本体１やニップル５には、適度な耐食性を有し、安価で、加工性の良い等の機能を兼ね備えている材料、例えば、ＪＩＳ規格のＳＵＳ３１６ステンレス材等が用いられている。
【０００６】
【発明が解決しようとする課題】
しかし、プロセス流体が腐食性の流体の場合、耐食仕様の圧力測定装置が供給されるが、この仕様に於いては、測定流体に接液する部分の部品全てに、耐食材料を用いて受圧部分を構成する。
【０００７】
しかしながら、耐食材料は非常に高価である。これらの材料は、標準の材質、例えば、ＪＩＳ規格のＳＵＳ３１６ステンレス材に対し、耐食性という機能は優れるものの、材料そのものの価格が高価なばかりでなく、材料によっては加工性も劣っている。
【０００８】
特に、耐食仕様の圧力測定装置に、主に使用されている、例えば、ニッケル・モリブデン・クロム合金材、具体的には、ＪＩＳ規格のＨ４５５１〜Ｈ４５５４で規定されているＮＷ０２７６合金材（商品名ハステロイＣ−２７６）は非常に高価であり、加工性が悪く、加工によるコストも、標準材料の場合より多く掛る。
【０００９】
この耐食材料を、圧力測定装置本体１，シールダイアフラム４，ニップル５全部に使用した場合、材料費及び加工費の総コストに占める比重が大きくなり、製品のコスト全体を押し上げる結果となっている。
【００１０】
本発明の目的は、上記の課題を解決するもので、本発明の目的は、耐食性が向上され且つ安価な圧力測定装置を提供することにある。
【００１１】
即ち、本発明は、多くの部分に標準の材料を用いる構造を工夫することで、必要とする材料費、加工費等を極力圧縮し、製品全体のコストを低減する事を目的とする。
【００１２】
【課題を解決するための手段】
このような目的を達成するために、本発明では、請求項１記載の圧力測定装置においては、
圧力測定装置本体の圧力受圧面側に設けられた第１の凸部と、この第１の凸部の頂部に設けられこの第１の凸部と階段形状凸部を形成する第２の凸部と、この第２の凸部の頂面に設けられたシールダイアフラムと、前記第１の凸部に嵌め合わされ前記第２の凸部と前記シールダイアフラムとを覆って設けられたニップルとを具備する圧力測定装置において、
前記測定装置本体に一面が接し内周面が前記第１の凸部と嵌め合わされ耐食材よりなるリングと、このリングの他面に一面の周縁部分が固定され前記シールダイアフラムと前記第２の凸部とこのリングとにより接液室を構成し耐食材よりなる接液ダイアフラムと、前記接液室に封入された封入液と、前記接液ダイアフラムの他面の周縁部分に一面が固定された耐食材よりなるニップル基体とを備えるニップルユニットを具備したことを特徴とする。
【００１３】
本発明の請求項２においては、請求項1記載の圧力測定装置において、
前記リングと前記接液ダイアフラムと前記ニップルとがニッケル・モリブデン・クロム合金材より成ることを特徴とする。
【００１４】
【発明の実施の形態】
以下図面を用いて本発明を詳しく説明する。図１は本発明の一実施例の要部構成説明図である。
図において、図２と同一記号の構成は同一機能を表す。
以下、図２と相違部分のみ説明する。
【００１５】
図において、１１は、測定装置本体１に一面が接し、内周面が第1の凸部２と嵌め合わされ耐食材よりなるリングである。
１２は、このリング１１の他面に一面の周縁部分が固定され、シールダイアフラム４と第２の凸部３とリング１１とにより接液室１３を構成し耐食材よりなる接液ダイアフラムである。
【００１６】
１０１は、接液室１３に封入された封入液である。
この場合は、シリコンオイルが使用されている。
１４は、リング１１に設けられた、封入液１０１の封入口である。
【００１７】
１５は、接液ダイアフラム１２の他面の周縁部分に一面が固定され貫通孔１６を有し耐食材よりなるニップル基体である。
リング１１と接液ダイアフラム１２とニップル基体１５とによりニップルユニット１０が構成される。
【００１８】
この場合は、リング１１，接液ダイアフラム１２，ニップル基体１５には、ニッケル・モリブデン・クロム合金材、具体的には、ＪＩＳ規格のＨ４５５１〜Ｈ４５５４で規定されているＮＷ０２７６合金材（商品名ハステロイＣ−２７６）が使用されている。
【００１９】
以上の構成において、配管内の測定流体ＦＬから加わった圧力は、配管と接続されたニップル基体１５に導入され、接液ダイアフラム１２を介して封入液１０１に伝えられ、更にシールダイアフラム４を介して測定装置本体１に伝えられる。
【００２０】
この結果、測定対象が腐食性の高い流体である場合には、ニップル基体１５，接液ダイアフラム１２とリング１１のみを耐食性の高い材料で構成すれば良い。
図２従来例では、ニップル５内に接液ダイアフラム１２が存在しないため、測定流体ＦＬは、ニップル５，測定装置本体１及び測定装置本体１に設置されたシールダイアフラム４に接触する。
【００２１】
従って、これらの部品を全て耐食材質で構成する必要があり、装置全体を標準品とは別構造にする必要があった。
【００２２】
本発明による構造においては、
（１）測定流体ＦＬは、リング１１とニップル基体１５とその内部に内蔵された接液ダイアフラム１２のみにしか接触しないため、耐食材質で製作する部品を少量且つ小型化することが出来る圧力測定装置が得られる。
【００２３】
（２）本体部分を標準品と共通化することが可能となる圧力測定装置が得られる。
（３）種々の接液材質の要求に対し、迅速に容易に対応することが出来る圧力測定装置が得られる。
【００２４】
なを、前述の実施例においては、リング１１，接液ダイアフラム１２，ニップル基体１５には、ニッケル・モリブデン・クロム合金材、具体的には、ＪＩＳ規格のＨ４５５１〜Ｈ４５５４で規定されているＮＷ０２７６合金材（商品名ハステロイＣ−２７６）が使用されていると説明したが、これに限る事は無く、たとえば、タンタル、モネル、チタンでも良く、要するに、耐食材であれば良い。
【００２５】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００２６】
【発明の効果】
以上説明したように、本発明の請求項１によれば、次のような効果がある。
（１）測定流体は、リングとニップルとその内部に内蔵された接液ダイアフラムのみにしか接触しないため、耐食材質で製作する部品を少量且つ小型化することが出来る圧力測定装置が得られる。
【００２７】
（２）本体部分を標準品と共通化することが可能となる圧力測定装置が得られる。
（３）種々の接液材質の要求に対し、迅速に容易に対応することが出来る圧力測定装置が得られる。
【００２８】
本発明の請求項２によれば、次のような効果がある。
リングと接液ダイアフラムとニップルとがニッケル・モリブデン・クロム合金材により構成されたので、更に、耐食性が向上され且つ安価な圧力測定装置が得られる。
【００２９】
従って、本発明によれば、耐食性が向上され且つ安価な圧力測定装置を実現することが出来る。
【図面の簡単な説明】
【図１】  本発明の一実施例の要部構成説明図である。
【図２】  従来より一般に使用されている従来例の要部構成説明図である。
【符号の説明】
１      測定装置本体
２      第１の凸部
３      第２の凸部
４      シールダイアフラム
１０ ニップルユニット
１１    リング
１２    接液ダイアフラム
１３    接液室
１４    封入口
１５    ニップル基体
１６    貫通孔
ＦＬ    測定流体
１０１ 封入液
【図１】
0003698253.tif 000002
【図２】
0003698253.tif 000003